(57)【要約】【課題】操作性を改善できる繰出容器を提供する。【解決手段】外装筒１と、内周面に螺旋溝２ａを有し、外装筒１と上下方向への相対移動が許容され、周方向への相対移動が規制された螺旋筒２と、縦孔３ｂを有する収容筒３と、縦孔３ｂを通して螺旋溝２ａに挿入される突起部４ｂを有し、螺旋筒２と周方向に相対回転可能な保持筒４と、保持筒４に保持される棒状内容物５と、螺旋筒２に対して下側から接触する回転部材６と、回転部材６に対して下側から接触可能なノック部材７と、螺旋筒２、保持筒４および回転部材６を下側へ付勢する付勢部材８と、外装筒１に対してノック部材７を上側に押し込むノック操作により、回転部材６、螺旋筒２、保持筒４および棒状内容物５を上下動させて、棒状内容物５が収容筒３から上側に突出する使用位置、および、棒状内容物５が使用位置よりも下側に配置される待機位置のいずれかに保持するノック機構９と、を備える。【選択図】図６
2020103684.tif 000002
【特許請求の範囲】
【請求項１】
上下方向に延びる外装筒と、
前記外装筒の内部に配置され、内周面に、周方向に向かうに従い上下方向に延びる螺旋溝を有し、前記外装筒と上下方向への相対移動が許容され、周方向への相対移動が規制された螺旋筒と、
前記螺旋筒の内部に挿入され、上下方向に延びる縦孔を有する収容筒と、
前記収容筒の内部に配置され、前記縦孔を通して前記螺旋溝に挿入される突起部を有し、前記螺旋筒と周方向に相対回転可能な保持筒と、
前記保持筒に保持され、前記収容筒の上端開口部から上側に突出可能な棒状内容物と、
前記外装筒の内部に配置され、前記螺旋筒に対して下側から接触する回転部材と、
前記外装筒の内部に挿入され、前記外装筒よりも下側に突出する部分を有し、前記回転部材に対して下側から接触可能なノック部材と、
前記螺旋筒、前記保持筒および前記回転部材を下側へ付勢する付勢部材と、
前記外装筒に対して前記ノック部材を上側に押し込むノック操作により、前記回転部材、前記螺旋筒、前記保持筒および前記棒状内容物を上下動させて、前記棒状内容物が前記収容筒から上側に突出する使用位置、および、前記棒状内容物が前記使用位置よりも下側に配置される待機位置のいずれかに保持するノック機構と、を備える、
繰出容器。
【請求項２】
前記外装筒に対する前記ノック部材の上側への移動を規制可能なロック機構を備える、
請求項１に記載の繰出容器。
【発明の詳細な説明】
【技術分野】
【０００１】
本発明は、繰出容器に関する。
【背景技術】
【０００２】
従来、例えば特許文献１の繰出容器が知られている。繰出容器は、外装筒と、外装筒内に配置され外装筒と一体に回転する螺旋筒と、螺旋筒内に挿入される収容筒と、収容筒内に配置される保持筒と、保持筒に保持される例えば口紅等の棒状内容物と、を備える。螺旋筒は、内周面に螺旋溝を有し、収容筒は、縦孔を有する。保持筒は、縦孔を通して螺旋溝に挿入される突起部を有する。
【０００３】
繰出容器を使用する際は、収容筒に対して外装筒を周方向に回転させることにより、収容筒の開口部から棒状内容物を使用に適した位置まで突出させる。使用後は、収容筒に対して外装筒を周方向に回転させることにより、収容筒内に棒状内容物を収容する。
【先行技術文献】
【特許文献】
【０００４】
【特許文献１】特開２００５−６６１１３号公報
【発明の概要】
【発明が解決しようとする課題】
【０００５】
従来の繰出容器では、棒状内容物を使用に適した位置まで突出させたり収容筒内に収容する操作を簡素化し、かつ棒状内容物の突出量を微調整できるようにする点に改善の余地があった。
【０００６】
上記事情に鑑み、本発明は、棒状内容物を使用に適した位置まで突出させたり収容筒内に収容する操作を簡素化でき、かつ棒状内容物の突出量を微調整できて、操作性を改善できる繰出容器を提供することを目的の一つとする。
【課題を解決するための手段】
【０００７】
本発明の繰出容器の一つの態様は、上下方向に延びる外装筒と、前記外装筒の内部に配置され、内周面に、周方向に向かうに従い上下方向に延びる螺旋溝を有し、前記外装筒と上下方向への相対移動が許容され、周方向への相対移動が規制された螺旋筒と、前記螺旋筒の内部に挿入され、上下方向に延びる縦孔を有する収容筒と、前記収容筒の内部に配置され、前記縦孔を通して前記螺旋溝に挿入される突起部を有し、前記螺旋筒と周方向に相対回転可能な保持筒と、前記保持筒に保持され、前記収容筒の上端開口部から上側に突出可能な棒状内容物と、前記外装筒の内部に配置され、前記螺旋筒に対して下側から接触する回転部材と、前記外装筒の内部に挿入され、前記外装筒よりも下側に突出する部分を有し、前記回転部材に対して下側から接触可能なノック部材と、前記螺旋筒、前記保持筒および前記回転部材を下側へ付勢する付勢部材と、前記外装筒に対して前記ノック部材を上側に押し込むノック操作により、前記回転部材、前記螺旋筒、前記保持筒および前記棒状内容物を上下動させて、前記棒状内容物が前記収容筒から上側に突出する使用位置、および、前記棒状内容物が前記使用位置よりも下側に配置される待機位置のいずれかに保持するノック機構と、を備える。
【０００８】
本発明の繰出容器はノック機構を備えるので、ノック部材をノック操作することにより、回転部材、螺旋筒、保持筒および棒状内容物が上下動し、棒状内容物が使用位置および待機位置のいずれかに保持される。つまりノック操作によって、収容筒に対して棒状内容物を上下方向に大きく移動させることができる。このため、棒状内容物を使用に適した位置まで突出させたり収容筒内に収容する操作を簡素化できる。
【０００９】
また、収容筒と外装筒とを周方向に相対的に回動させる回動操作により、保持筒の突起部が螺旋筒の螺旋溝内を相対的に移動し、これにより、収容筒に対して棒状内容物を少しずつ上下動させることができる。つまり上記回動操作によって、収容筒に対する棒状内容物の上下位置を少しずつ変化させて、棒状内容物の突出量を微調整できる。なお、棒状内容物の突出量を微調整する回動操作は、棒状内容物が使用位置および待機位置のいずれに保持された状態において行ってもよい。
以上より本発明によれば、繰出容器の操作性が改善される。
【００１０】
上記繰出容器は、前記外装筒に対する前記ノック部材の上側への移動を規制可能なロック機構を備えることが好ましい。
【００１１】
この場合、ノック部材の誤操作が抑制される。
【発明の効果】
【００１２】
本発明の一つの態様の繰出容器によれば、棒状内容物を使用に適した位置まで突出させたり収容筒内に収容する操作を簡素化でき、かつ棒状内容物の突出量を微調整できて、操作性を改善できる。
【図面の簡単な説明】
【００１３】
【図１】本発明の一実施形態の繰出容器を示す縦断面図であり、棒状内容物が待機位置に配置された状態を表す。
【図２】外装筒の下端部を示す縦断面図である。
【図３】回転部材を示す斜視図である。
【図４】ノック部材を示す斜視図である。
【図５】本発明の一実施形態の繰出容器を示す縦断面図であり、棒状内容物が使用位置に配置された状態を表す。
【図６】本発明の一実施形態の繰出容器を示す縦断面図であり、使用位置の棒状内容物を、回動操作により上下方向に移動した状態を表す。
【図７】ロック機構を説明する断面斜視図であり、外装筒に対するノック部材の上側への移動が許容された状態を表す。
【図８】ロック機構を説明する断面斜視図であり、外装筒に対するノック部材の上側への移動が規制された状態を表す。
【発明を実施するための形態】
【００１４】
以下、本発明の一実施形態の繰出容器１０について、図面を参照して説明する。
図１に示すように、繰出容器１０は、中心軸Ｏを有する外装筒１と、外装筒１の内部に配置される螺旋筒２と、螺旋筒２の内部に挿入される収容筒３と、収容筒３の内部に配置される保持筒４と、保持筒４に保持される棒状内容物５と、外装筒１の内部に配置される回転部材６と、外装筒１の内部に挿入されるノック部材７と、介装リング１３と、付勢部材８と、リング部材１２と、キャップ１４と、ノック機構９と、ロック機構１１と、を備える。
外装筒１、螺旋筒２、収容筒３、保持筒４、棒状内容物５、回転部材６、ノック部材７、介装リング１３、付勢部材８、リング部材１２およびキャップ１４は、中心軸Ｏを共通軸として互いに同軸に配置されている。
【００１５】
本実施形態では、中心軸Ｏが延びる方向（中心軸Ｏに沿う方向）を上下方向と呼ぶ。図１に示すように、棒状内容物５とノック部材７とは、上下方向において互いに異なる位置に配置される。上下方向のうち、棒状内容物５からノック部材７に向かう方向を下側と呼び、ノック部材７から棒状内容物５に向かう方向を上側と呼ぶ。上下方向は、軸方向と言い換えてもよい。上側は、軸方向一方側と言い換えてもよく、下側は、軸方向他方側と言い換えてもよい。
上下方向から見た平面視で、中心軸Ｏに直交する方向を径方向と呼ぶ。径方向のうち、中心軸Ｏに近づく方向を径方向内側と呼び、中心軸Ｏから離れる方向を径方向外側と呼ぶ。
中心軸Ｏ回りに周回する方向を周方向と呼ぶ。周方向のうち、中心軸Ｏ回りの所定の回転方向を周方向一方側と呼び、これとは反対の回転方向を周方向他方側と呼ぶ。
【００１６】
外装筒１は、上下方向に延びる筒状である。外装筒１は、外装筒１の内周面に、図示しない複数のリブを有する。複数のリブは、上下方向に延び、周方向に互いに間隔をあけて配置される。本実施形態では、外装筒１の外径が、上下方向に沿って一定である。外装筒１のうち下端部は、下端部以外の部分よりも径方向の厚さ（肉厚）が大きい。すなわち、外装筒１のうち下端部の内径は、下端部以外の部分の内径よりも小さい。
【００１７】
図１および図２に示すように、外装筒１は、縦溝１ａと、第１傾斜面１ｂと、周溝１ｃと、を有する。縦溝１ａ、第１傾斜面１ｂおよび周溝１ｃは、外装筒１の下端部に配置される。
縦溝１ａは、外装筒１の内周面において径方向外側に窪み、上下方向に延びる。縦溝１ａの下端は、外装筒１の下端よりも上側に位置する。縦溝１ａの上端は、上側に向けて開口する。縦溝１ａは、外装筒１の内周面の下端部に、周方向に互いに間隔をあけて複数設けられる。
【００１８】
第１傾斜面１ｂは、外装筒１の内周面のうち、下端部と下端部以外の部分との境界に位置する段部に配置される。第１傾斜面１ｂは、上側を向く。第１傾斜面１ｂは、周方向へ向かうに従い上下方向に向けて傾斜して延びる。具体的に、第１傾斜面１ｂは、周方向一方側へ向かうに従い下側へ延びる。第１傾斜面１ｂは、外装筒１に複数設けられる。第１傾斜面１ｂは、周方向に隣り合う縦溝１ａ同士の間に、それぞれ配置される。
第１傾斜面１ｂは、一対の傾斜面１ｂ１，１ｂ２から形成されており、一対の傾斜面１ｂ１，１ｂ２のうち周方向他方側に位置する傾斜面１ｂ１の下端（つまり周方向一方端）と、周方向一方側に位置する傾斜面１ｂ２の上端（つまり周方向他方端）とは、垂壁１ｄを介して繋がる。垂壁１ｄは、上下方向に延び周方向他方側を向く。
【００１９】
周溝１ｃは、外装筒１の内周面において径方向外側に窪み、周方向に延びる。周溝１ｃは、周方向において縦溝１ａの下端部と接続される。周溝１ｃは、縦溝１ａの下端部から周方向一方側へ向けて延びる。本実施形態では、周溝１ｃの下端の上下方向の位置が、縦溝１ａの下端の上下方向の位置と同じである。
【００２０】
図１に示すように、螺旋筒２は、上下方向に延びる筒状である。本実施形態では、螺旋筒２が、外装筒１内に嵌合する。螺旋筒２の上端部は、外装筒１の上端部よりも下側に位置する。螺旋筒２の下端部は、外装筒１の下端部よりも上側に位置する。螺旋筒２は、螺旋筒２の外周面に、図示しない複数の溝を有する。複数の溝は、上下方向に延び、周方向に互いに間隔をあけて配置される。螺旋筒２の複数の溝には、外装筒１の複数のリブが挿入される。これにより螺旋筒２は、外装筒１と上下方向への相対移動が許容され、周方向への相対移動が規制される。
螺旋筒２は、螺旋筒２の内周面に螺旋溝２ａを有する。螺旋溝２ａは、周方向に向かうに従い上下方向に延びる螺旋状である。
【００２１】
収容筒３は、上下方向に延びる筒状である。収容筒３は、その少なくとも下端部が、螺旋筒２内に挿入される。収容筒３の下端部は、外装筒１の下端部よりも上側に位置し、螺旋筒２内に配置される。収容筒３の上端部は、外装筒１の上端部よりも上側に位置する。収容筒３は、螺旋筒２と周方向に相対回転可能である。
【００２２】
収容筒３は、外周突起３ａと、縦孔３ｂと、を有する。
外周突起３ａは、収容筒３の外周面から径方向外側に突出する。外周突起３ａは、収容筒３の外周面において周方向に延びていてもよいし、周方向に互いに間隔をあけて複数設けられてもよい。外周突起３ａは、上下方向において、収容筒３の上端部と下端部との間の中間部分に配置される。外周突起３ａは、外装筒１の上端よりも下側に位置する。本実施形態では、収容筒３のうち、外周突起３ａの上側に位置する部分の径方向の厚さ（肉厚）が、外周突起３ａの下側に位置する部分の径方向の厚さよりも大きい。
【００２３】
縦孔３ｂは、収容筒３を径方向に貫通する。縦孔３ｂは、スリット状である。縦孔３ｂは、外周突起３ａの下側に配置されて上下方向に延び、収容筒３の下端開口縁に開口する。縦孔３ｂは、収容筒３に少なくとも１つ設けられる。縦孔３ｂは、収容筒３の下側部分に、周方向に互いに間隔をあけて複数（本実施形態では、対向する位置に２つ）配置される。
【００２４】
保持筒４は、上下方向に延びる筒状である。保持筒４は、収容筒３内に上下摺動可能に配置される。保持筒４は、収容筒３の内部に収容される。保持筒４は、棒状内容物５を、保持筒４から上側に突出させた状態で保持する。
【００２５】
保持筒４は、仕切り壁４ａと、突起部４ｂと、を有する。
仕切り壁４ａは、保持筒４の内部空間を上下方向に仕切る。本実施形態では仕切り壁４ａが、保持筒４の上側部分に配置される。仕切り壁４ａは板状であり、その上面は棒状内容物５の下端面と接触する。
【００２６】
突起部４ｂは、保持筒４の外周面から径方向外側に突出する。本実施形態では、突起部４ｂが、径方向に延びる円柱状である。突起部４ｂは、保持筒４に少なくとも１つ設けられる。本実施形態では突起部４ｂが、保持筒４の下端部に、周方向に互いに間隔をあけて２つ対向配置されるが、３つ以上設けてもよい。突起部４ｂの数は、縦孔３ｂの数と対応している（同数である）。
【００２７】
突起部４ｂは、縦孔３ｂを通して螺旋溝２ａに挿入される。突起部４ｂは、縦孔３ｂを径方向に貫通し、突起部４ｂの径方向外端部は、螺旋溝２ａ内に配置される。突起部４ｂは、縦孔３ｂ内を上下方向に移動可能である。突起部４ｂが縦孔３ｂ内に挿入されることで、保持筒４は、収容筒３と周方向への相対回転が規制される。また保持筒４は、収容筒３と上下方向への相対移動が許容されている。
【００２８】
保持筒４は、螺旋筒２と周方向に相対回転可能である。保持筒４と螺旋筒２とが周方向に相対回転させられたときに、突起部４ｂは、螺旋溝２ａに沿って螺旋溝２ａ内を移動可能である。すなわち保持筒４は、螺旋筒２と周方向に相対回転しつつ、上下方向に相対移動する。
【００２９】
棒状内容物５は、例えば丸棒状であり、上下方向に延びる。棒状内容物５は、例えば、化粧料（口紅、リップクリーム、スティックアイシャドーなど）、薬剤および糊等である。棒状内容物５は、例えば、油分を多く含む柔らかい材料等で構成される。
【００３０】
棒状内容物５の下端部は、保持筒４の上端部内に嵌合する。棒状内容物５は、保持筒４と固定される。棒状内容物５は、収容筒３の上側部分内に配置される。棒状内容物５は、収容筒３と周方向に相対回転不能であり、かつ上下方向に相対移動可能である。図５および図６に示すように、棒状内容物５は、収容筒３の上端開口部から上側に突出可能である。
【００３１】
図１および図３に示すように、回転部材６は、上下方向に延びる筒状または柱状等である。本実施形態では回転部材６が、筒状である。回転部材６は、外装筒１内に収容される。回転部材６は、外装筒１の下側部分内に配置される。回転部材６は、螺旋筒２に対して下側から接触する。回転部材６は、外装筒１と上下方向に相対移動可能である。
【００３２】
回転部材６は、大径部６ａと、小径部６ｂと、リブ部６ｃと、第２傾斜面６ｄと、を有する。
大径部６ａは、上下方向に延びる有底筒状である。大径部６ａは、回転部材６において最も外径が大きい部分である。大径部６ａの外周面は、外装筒１の内周面と摺接する。大径部６ａの内径は、収容筒３の下端部の外径以上となっている。大径部６ａの上端は、螺旋筒２の下端に対して、下側から接触する。
【００３３】
小径部６ｂは、上下方向に延びる筒状である。小径部６ｂは、大径部６ａの下側に配置される。小径部６ｂは、大径部６ａよりも外径および内径が小さい。小径部６ｂは、大径部６ａの底壁の内周部から垂下設される。
【００３４】
リブ部６ｃは、小径部６ｂの外周面から径方向外側に突出し、上下方向に延びる。リブ部６ｃの上端は、大径部６ａの底壁と接続される。リブ部６ｃの下端は、小径部６ｂの下端よりも下側に位置する。本実施形態では、リブ部６ｃの径方向外側を向く外側面の径方向位置と、大径部６ａの外周面の径方向位置とが、互いに略同じである。リブ部６ｃは、回転部材６に複数設けられる。複数のリブ部６ｃは、小径部６ｂの外周面に、周方向に互いに間隔をあけて配置される。
【００３５】
リブ部６ｃは、外装筒１の縦溝１ａ内に挿入される。リブ部６ｃは、縦溝１ａ内から上側に離脱可能である。リブ部６ｃが縦溝１ａ内から離脱したときに、回転部材６は、外装筒１に対して周方向に回転可能である。
【００３６】
第２傾斜面６ｄは、リブ部６ｃの下端面に配置される。第２傾斜面６ｄは、下側を向く。第２傾斜面６ｄは、周方向へ向かうに従い上下方向に向けて傾斜して延びる。具体的に、第２傾斜面６ｄは、周方向一方側へ向かうに従い下側へ延びる。第２傾斜面６ｄは、回転部材６に複数設けられる。第２傾斜面６ｄは、複数のリブ部６ｃに１つずつ設けられる。
【００３７】
リブ部６ｃが縦溝１ａから上側に離脱したときに、後述するノック部材７および付勢部材８の作用により、回転部材６が外装筒１に対して周方向一方側に回転させられることで、第２傾斜面６ｄは、第１傾斜面１ｂに対して上側から対向する。この状態から第２傾斜面６ｄは、第１傾斜面１ｂと接触し、第１傾斜面１ｂ上を周方向一方側かつ下側に向けて摺接可能である。
【００３８】
図１および図４に示すように、ノック部材７は、上下方向に延びる筒状または柱状等である。本実施形態ではノック部材７が、有底筒状である。ノック部材７は、回転部材６の下側に配置される。ノック部材７は、回転部材６に対して下側から接触可能である。ノック部材７は、少なくとも上端部が外装筒１内に配置される。ノック部材７の上端部は、外装筒１の下端部内に嵌合する。ノック部材７は、外装筒１よりも下側に突出する部分を有する。ノック部材７は、外装筒１と上下方向に相対移動可能である。
【００３９】
ノック部材７は、凸部７ａと、第３傾斜面７ｂと、第４傾斜面７ｃと、を有する。
凸部７ａは、ノック部材７の外周面から径方向外側に突出し、上下方向に延びる。凸部７ａは、ノック部材７の上端部に配置される。凸部７ａは、ノック部材７の外周面の上端部に、周方向に互いに間隔をあけて複数設けられる。凸部７ａは、外装筒１の縦溝１ａ内および周溝１ｃ内のいずれかに配置される。
【００４０】
第３傾斜面７ｂは、ノック部材７の上端面に配置される。第３傾斜面７ｂは、上側を向く。第３傾斜面７ｂは、周方向へ向かうに従い上下方向に向けて傾斜して延びる。具体的に、第３傾斜面７ｂは、周方向一方側へ向かうに従い下側へ延びる。第３傾斜面７ｂは、ノック部材７に複数設けられる。複数の第３傾斜面７ｂは、ノック部材７の上端面において、周方向に互いに間隔をあけて配置される。
【００４１】
リブ部６ｃが縦溝１ａ内に配置されたときに、第３傾斜面７ｂは、第２傾斜面６ｄに対して下側から接触可能である。リブ部６ｃが縦溝１ａ内から上側に離脱したときに、後述する付勢部材８の作用により、第３傾斜面７ｂ上を第２傾斜面６ｄが周方向一方側かつ下側に向けて摺接することで、ノック部材７および外装筒１に対して、回転部材６が周方向一方側に回転させられる。
【００４２】
第４傾斜面７ｃは、ノック部材７の上端面に配置される。第４傾斜面７ｃは、上側を向く。第４傾斜面７ｃは、周方向へ向かうに従い上下方向に向けて傾斜して延びる。具体的に、第４傾斜面７ｃは、周方向一方側へ向かうに従い上側へ延びる。第４傾斜面７ｃは、ノック部材７に複数設けられる。複数の第４傾斜面７ｃは、ノック部材７の上端面において、周方向に互いに間隔をあけて配置される。
第３傾斜面７ｂと第４傾斜面７ｃとは、ノック部材７の上端面に、周方向に交互に配列される。
【００４３】
図１に示すように、介装リング１３は、外装筒１内に収容される。介装リング１３は、円形リング板状である。介装リング１３は、径方向において、外装筒１と収容筒３との間に配置される。介装リング１３は、外装筒１および収容筒３に対して、上下方向に移動可能である。介装リング１３の下面は、螺旋筒２の上端面と接触する。
【００４４】
付勢部材８は、例えばコイルスプリング等の弾性部材である。付勢部材８は、上下方向に延びる。付勢部材８は、外装筒１内に収容される。付勢部材８は、径方向において、外装筒１と収容筒３との間に配置される。付勢部材８の上端は、収容筒３の外周突起３ａに対して下側から接触する。付勢部材８の下端は、介装リング１３の上面と接触する。本実施形態では付勢部材８が、収容筒３に対して、介装リング１３、螺旋筒２、保持筒４および回転部材６を下側へ向けて付勢する。
【００４５】
リング部材１２は、上下方向に延びる筒状である。リング部材１２は、外装筒１の上端部内に嵌合する部分を有する。リング部材１２内には、収容筒３が嵌合する。リング部材１２は、外装筒１に対する収容筒３の少なくとも上側への移動を規制する。
【００４６】
リング部材１２は、第１リング部１２ａと、第２リング部１２ｂと、フランジ部１２ｃと、を有する。
第１リング部１２ａは、上下方向に延びる筒状である。第１リング部１２ａは、外装筒１の上端部内に嵌合する下側部分と、外装筒１の上端よりも上側に位置する上側部分と、を有する。第１リング部１２ａの上側部分には、キャップ１４が着脱可能に外嵌される。
【００４７】
第２リング部１２ｂは、上下方向に延びる筒状である。第２リング部１２ｂは、第１リング部１２ａの下側部分内に嵌合する。第２リング部１２ｂの下端は、収容筒３の外周突起３ａに対して上側から接触する。これにより、リング部材１２に対する収容筒３の上側への移動が規制される。
【００４８】
フランジ部１２ｃは、第１リング部１２ａの外周面から径方向外側に突出し、周方向に延びる。フランジ部１２ｃは、円形リング板状である。フランジ部１２ｃの下面は、外装筒１の上端面に接触する。フランジ部１２ｃの上面には、キャップ１４の下端面が接触する。本実施形態では、フランジ部１２ｃの外径と、外装筒１の外径およびキャップ１４の外径とが、互いに略同じである。
【００４９】
キャップ１４は、上下方向に延びる有頂筒状である。キャップ１４は、リング部材１２に着脱可能に外嵌される。キャップ１４は、棒状内容物５、収容筒３およびリング部材１２の各一部を覆う。本実施形態ではキャップ１４が、棒状内容物５および収容筒３のうちリング部材１２よりも上側に突出する各部分と、第１リング部１２ａの上側部分と、を覆う。
【００５０】
ノック機構９は、外装筒１に対してノック部材７を上側に押し込むノック操作により、回転部材６、螺旋筒２、保持筒４および棒状内容物５を上下動させて、棒状内容物５が収容筒３から上側に突出する使用位置、および、棒状内容物５が前記使用位置よりも下側に配置される待機位置のいずれかに保持する。本実施形態では、図１が「待機位置」を示し、図５および図６が「使用位置」を示す。
【００５１】
ノック機構９は、上述した縦溝１ａと、第１傾斜面１ｂと、リブ部６ｃと、第２傾斜面６ｄと、凸部７ａと、第３傾斜面７ｂと、を有する。
ノック機構９の作用（機能）等について説明する。
【００５２】
図１に示す待機位置において、縦溝１ａ内には、リブ部６ｃおよび凸部７ａが配置される。この待機位置において、キャップ１４を取り外し、付勢部材８の上下方向の付勢力よりも大きな力でノック部材７を上側に向けて押し込む（ノック操作する）と、ノック部材７が回転部材６を押し上げ、回転部材６とともに螺旋筒２、介装リング１３、保持筒４および棒状内容物５が、収容筒３および外装筒１に対して上側へ移動する。
【００５３】
このとき、縦溝１ａ内からリブ部６ｃが上側に離脱し、付勢部材８の下側への付勢力およびノック部材７の上側への押し込み力により、第３傾斜面７ｂ上を第２傾斜面６ｄが摺動することで、ノック部材７および外装筒１に対して、回転部材６が周方向一方側へ回動する。この状態から、ノック部材７の上側への押し込み操作を解除すると、付勢部材８の下側への付勢力で回転部材６が下側へ移動する。このとき、第２傾斜面６ｄが第１傾斜面１ｂの傾斜面１ｂ１上を摺動して、回転部材６がさらに周方向一方側へ回動することで、リブ部６ｃの周方向一方側を向く側面が垂壁１ｄに接触し、図５に示す使用位置となる。図５において、収容筒３の下端部は、回転部材６の大径部６ａ内に配置される。
【００５４】
図５に示す使用位置（第１の使用位置）から、収容筒３に対して外装筒１を周方向に回動させる回動操作を行うと、外装筒１とともに螺旋筒２が回動し、螺旋溝２ａ内を突起部４ｂが相対的に移動する。これにより、収容筒３に対して保持筒４および棒状内容物５が上下方向に移動し、図６に示す使用位置（第２の使用位置）となる。
【００５５】
繰出容器１０を使用した後は、必要に応じて、収容筒３に対して外装筒１を周方向に回動させる回動操作を行う。次いで、付勢部材８の上下方向の付勢力よりも大きな力でノック部材７を上側に向けて押し込む。このとき、リブ部６ｃの下端が垂壁１ｄの上端よりも上側に移動し、付勢部材８の下側への付勢力およびノック部材７の上側への押し込み力により、第３傾斜面７ｂ上を第２傾斜面６ｄが摺動することで、ノック部材７および外装筒１に対して、回転部材６が周方向一方側へ回動する。この状態から、ノック部材７の上側への押し込み操作を解除すると、付勢部材８の下側への付勢力で回転部材６が下側へ移動する。このとき、第２傾斜面６ｄが第１傾斜面１ｂの傾斜面１ｂ２上を摺動して、回転部材６がさらに周方向一方側へ回動することで、リブ部６ｃが縦溝１ａ内に挿入され、図１に示す待機位置となる。
【００５６】
ロック機構１１は、外装筒１に対するノック部材７の上側への移動を規制可能である。
図７は、外装筒１に対するノック部材７の上側への移動が許容された状態を示す。図８は、外装筒１に対するノック部材７の上側への移動が規制された状態を示す。
【００５７】
ロック機構１１は、上述した周溝１ｃと、凸部７ａと、を有する。
ロック機構１１の作用（機能）について説明する。図７において、凸部７ａは、縦溝１ａ内に配置されている。この状態において、ノック部材７は、外装筒１に対して上側へ押し込み操作（ノック操作）可能である。図７の状態から、外装筒１に対してノック部材７を周方向一方側に回動させると、図８に示すように、凸部７ａが周溝１ｃ内に配置される。この状態において、ノック部材７は、外装筒１に対して上側へ押し込み操作不能である。図８に示す規制状態で、さらにキャップ１４を装着すると、外装筒１と収容筒３との相対回転も規制されるため、ノック機構９による上下動も、回転操作による上下動も生じず、予期せず棒状内容物５が破損したり、周囲を汚損する等の不具合が防止される。
図８の規制状態から、外装筒１に対してノック部材７を周方向他方側に回動させることで、ロック機構１１による規制状態が解除される。
【００５８】
以上説明した本実施形態の繰出容器１０は、ノック機構９を備えるので、ノック部材７をノック操作することにより、回転部材６、螺旋筒２、保持筒４および棒状内容物５が上下動し、棒状内容物５が使用位置および待機位置のいずれかに保持される。つまりノック操作によって、収容筒３に対して棒状内容物５を上下方向に大きく移動させることができる。このため、棒状内容物５を使用に適した位置まで突出させたり収容筒３内に収容する操作を簡素化できる。
【００５９】
また、収容筒３と外装筒１とを周方向に相対的に回動させる回動操作により、保持筒４の突起部４ｂが螺旋筒２の螺旋溝２ａ内を相対的に移動し、これにより、収容筒３に対して棒状内容物５を少しずつ上下動させることができる。つまり上記回動操作によって、収容筒３に対する棒状内容物５の上下位置を少しずつ変化させて、棒状内容物５の突出量を微調整できる。なお、棒状内容物５の突出量を微調整する回動操作は、棒状内容物５が使用位置および待機位置のいずれに保持された状態において行ってもよい。
以上より本実施形態によれば、繰出容器１０の操作性が改善される。
【００６０】
また本実施形態では、外装筒１に対するノック部材７の上側への移動を規制可能なロック機構１１が備えられるので、ノック部材７の誤操作が抑制される。
【００６１】
なお、本発明は前述の実施形態に限定されず、例えば下記に説明するように、本発明の趣旨を逸脱しない範囲において構成の変更等が可能である。
【００６２】
前述の実施形態では、介装リング１３が設けられる一例を挙げたが、介装リング１３は設けられなくてもよい。この場合、付勢部材８の下端が、螺旋筒２の上端に直接接触する。
【００６３】
前述の実施形態では、付勢部材８の上端が、収容筒３の外周突起３ａに対して下側から接触し、付勢部材８が、収容筒３に対して螺旋筒２、保持筒４および回転部材６を下側へ付勢する例を挙げたが、これに限らない。付勢部材８の上端が、例えば、外装筒１の内周面から径方向内側に突出する図示しない内周突起に対して下側から接触し、付勢部材８が、外装筒１に対して螺旋筒２、保持筒４および回転部材６を下側へ付勢してもよい。
また、ノック機構９およびロック機構１１が有する各構成要素は、前述の実施形態で説明した例に限らない。
【００６４】
その他、本発明の趣旨を逸脱しない範囲で、上述した実施形態における構成要素を周知の構成要素に置き換えることは適宜可能であり、また、上述した実施形態および変形例を適宜組み合わせてもよい。
【符号の説明】
【００６５】
１…外装筒、２…螺旋筒、２ａ…螺旋溝、３…収容筒、３ｂ…縦孔、４…保持筒、４ｂ…突起部、５…棒状内容物、６…回転部材、７…ノック部材、８…付勢部材、９…ノック機構、１０…繰出容器、１１…ロック機構
【図１】
2020103684.tif 000003
【図２】
2020103684.tif 000004
【図３】
2020103684.tif 000005
【図４】
2020103684.tif 000006
【図５】
2020103684.tif 000007
【図６】
2020103684.tif 000008
【図７】
2020103684.tif 000009
【図８】
2020103684.tif 000010